(57)【要約】【課題】セキュリティを向上することができるＩＣカードを提供する。【解決手段】ＩＣカード２１は、第一および第二のデータを記憶するメモリ２５と、第一および第二のデータのそれぞれに対応して設けられており、第一および第二のデータをそれぞれ送信可能とする第一および第二のスイッチ３１、３２と、第一および第二のスイッチ３１、３２にそれぞれ対応付けられた第一および第二の表示部３５、３６とを備える。第一のデータと第一の表示部３５における表示情報とが、関連付けられている。第二のデータと第二の表示部３６における表示情報とが、関連付けられている。【選択図】図２
2010211689.tif 000002
【特許請求の範囲】
【請求項１】
第一および第二のデータを記憶するメモリと、
前記第一および第二のデータのそれぞれに対応して設けられており、前記第一および第二のデータをそれぞれ送信可能とする第一および第二のスイッチと、
前記第一および第二のスイッチにそれぞれ対応付けられた第一および第二の表示部とを備え、
前記第一のデータと前記第一の表示部における表示情報とが、関連付けられており、
前記第二のデータと前記第二の表示部における表示情報とが、関連付けられている、ＩＣカード。
【請求項２】
前記メモリは、第一および第二のメモリバンクを含み、
前記第一のデータは、前記第一のメモリバンクに記憶されており、
前記第二のデータは、前記第二のメモリバンクに記憶されている、請求項１に記載のＩＣカード。
【請求項３】
前記スイッチは、前記メモリバンクのロックの解除を行なってデータを送信可能とする、請求項２に記載のＩＣカード。
【請求項４】
前記第一および第二の表示部における表示情報は、前記第一および第二のデータのそれぞれの重要度に応じて異なっている、請求項１〜３のいずれかに記載のＩＣカード。
【請求項５】
複数のデータを記憶するメモリと、
複数の前記データのうちの少なくともいずれか一つに対応して設けられており、対応する前記データを送信可能とするスイッチと、
前記スイッチに対応付けられた表示部とを備え、
前記スイッチにより送信可能となるデータと前記スイッチに対応付けられた前記表示部における表示情報とが、関連付けられている、ＩＣカード。
【請求項６】
前記スイッチは、圧電素子により構成されている、請求項１〜５のいずれかに記載のＩＣカード。
【請求項７】
前記スイッチのオンまたはオフにより、前記ＩＣカードの交信距離を変化させる、請求項１〜６のいずれかに記載のＩＣカード。
【請求項８】
発信する電波の減衰量を可変とする可変減衰器を含み、
前記ＩＣカードの交信距離の変化は、前記スイッチのオンまたはオフに応じて、前記可変減衰器における電波の減衰量を変化させることにより行なわれる、請求項７に記載のＩＣカード。
【請求項９】
前記ＩＣカードは、前記データが送信されたことを報知する第一の報知手段を備える、請求項１〜８のいずれかに記載のＩＣカード。
【請求項１０】
前記ＩＣカードは、セミパッシブタイプである、請求項１〜９のいずれかに記載のＩＣカード。
【請求項１１】
第一および第二のデータを記憶するメモリを含むＩＣカードと、前記第一のデータを読取る第一のリーダと、前記第二のデータを読取る第二のリーダとを備えるデータ送受信システムであって、
前記ＩＣカードは、前記第一および第二のデータのそれぞれに対応して設けられており、前記第一および第二のデータをそれぞれ送信可能とする第一および第二のスイッチと、
前記第一および第二のスイッチにそれぞれ対応付けられた第一および第二の表示部とを備え、
前記第一のデータと前記第一の表示部における表示情報とが、関連付けられており、
前記第二のデータと前記第二の表示部における表示情報とが、関連付けられている、データ送受信システム。
【請求項１２】
複数のデータを記憶するメモリを含むＩＣカードと、複数の前記データを読取るリーダとを備えるデータ送受信システムであって、
前記ＩＣカードは、前記データのうちの少なくともいずれか一つに対応して設けられており、対応付けられた前記データを送信可能とする複数のスイッチと、
前記スイッチに対応付けられた表示部とを備え、
前記スイッチにより送信可能となるデータと前記スイッチに付された前記表示部における表示情報とが、関連付けられている、データ送受信システム。
【請求項１３】
前記ＩＣカードは、前記リーダにより前記データの読取りができれば、その旨を報知する第二の報知手段を含む、請求項１１または１２に記載のデータ送受信システム。
【請求項１４】
前記ＩＣカードは、前記リーダにより要求されるデータを報知する第三の報知手段を含む、請求項１１〜１３のいずれかに記載のデータ送受信システム。
【発明の詳細な説明】
【技術分野】
【０００１】
この発明は、ＩＣカードおよびデータ送受信システムに関するものであり、特に、ユーザ認証に用いられるＩＣカードおよびデータ送受信システムに関するものである。
【背景技術】
【０００２】
従来において、ビルやビル内のオフィスでのユーザの入退室を管理する方法として、ＲＦＩＤ（Ｒａｄｉｏ  Ｆｒｅｑｕｅｎｃｙ  Ｉｄｅｎｔｉｆｉｃａｔｉｏｎ）タグやＩＣカードを利用した方法が採用される場合がある。具体的には、例えば、ユーザ各個人にＲＦＩＤタグやＩＣカードを所有させ、オフィスへの入室およびオフィスからの退室の際に、ユーザの所有するＩＣカード等においてデータの送受信を行い、コンピュータに格納されたデータベース等を用いてユーザ認証を行なうものである。
【０００３】
ここで、ＲＦＩＤタグやＩＣカードについては、その交信距離の相違に応じて、複数の種類がある。例えば、比較的交信距離が短い１３．５６ＭＨｚの周波数帯域であるＨＦ（Ｈｉｇｈ  Ｆｒｅｑｕｅｎｃｙ）帯ＲＦＩＤタグや、比較的交信距離の長い９５３ＭＨｚの周波数帯域であるＵＨＦ（Ｕｌｔｒａ  Ｈｉｇｈ  Ｆｒｅｑｕｅｎｃｙ）帯ＲＦＩＤタグ等がある。
【０００４】
ＨＦ帯ＲＦＩＤタグについては、交信距離が短いため、上記したようなユーザ認証にＨＦ帯ＲＦＩＤタグを用いると、ユーザの入退室の際に、例えば、ユーザ自身がＲＦＩＤタグをリーダに翳してＲＦＩＤタグに記憶されたデータを読取らせる必要がある。このような方式は、利便性に欠ける。特に、ユーザの数に対してリーダの数が少ない場合、大きく利便性に欠けるものとなる。
【０００５】
一方、ＵＨＦ帯ＲＦＩＤタグについては、交信距離が長いため、上記したＨＦ帯ＲＦＩＤタグのように、ユーザの入退室の際にリーダに翳す必要はない。しかし、その交信距離の長さから、ＲＦＩＤタグの情報の漏洩のおそれがあり、セキュリティ上問題がある。すなわち、交信距離が長いため、ユーザやシステム設計者が意図しない悪意の第三者に交信中のデータを盗み出されるおそれがある。特に、ユーザ認証においては、非常に重要な個人情報が交信データに含まれている場合もあり、大きな問題となる。
【０００６】
ここで、特表２００７−５３１１４３号公報（特許文献１）には、パーソナルプロファイルを送信するための装置が開示されている。特許文献１によると、パーソナルプロファイルを送信するための装置は、パーソナルプロファイルを収容するメモリと、パーソナルプロファイル選択要素と、信号を送信するための送信器とを備えている。そして、信号は、パーソナルプロファイル選択要素を使用して選択されたパーソナルプロファイルの少なくとも一つのサブセットを含むこととしている。
【先行技術文献】
【特許文献】
【０００７】
【特許文献１】特表２００７−５３１１４３号公報
【発明の概要】
【発明が解決しようとする課題】
【０００８】
特許文献１によると、パーソナルプロファイル選択要素により選択されたパーソナルプロファイルの少なくとも一つのサブセットを含む信号を送信することにより、プライバシーに対する懸念に対処することとしている。
【０００９】
しかし、サブセットを含む信号の送信に際し、選択するサブセット、すなわち、送信するデータを誤って選択した場合、正しいデータを送信することができない。この場合、認証ミス等を引き起こすばかりか、不必要なデータを送信してしまうことになり、このデータが漏洩してしまうおそれがある。すなわち、人為的なミスに起因したセキュリティの観点から問題がある。
【００１０】
この発明の目的は、セキュリティを向上することができるＩＣカードを提供することである。
【００１１】
この発明の他の目的は、セキュリティを向上することができるデータ送受信システムを提供することである。
【課題を解決するための手段】
【００１２】
この発明に係るＩＣカードは、第一および第二のデータを記憶するメモリと、第一および第二のデータのそれぞれに対応して設けられており、第一および第二のデータをそれぞれ送信可能とする第一および第二のスイッチと、第一および第二のスイッチにそれぞれ対応付けられた第一および第二の表示部とを備える。第一のデータと第一の表示部における表示情報とが、関連付けられている。第二のデータと第二の表示部における表示情報とが、関連付けられている。
【００１３】
好ましくは、メモリは、第一および第二のメモリバンクを含み、第一のデータは、第一のメモリバンクに記憶されており、第二のデータは、第二のメモリバンクに記憶されている。
【００１４】
さらに好ましくは、スイッチは、メモリバンクのロックの解除を行なってデータを送信可能とする。
【００１５】
さらに好ましくは、第一および第二の表示部における表示情報は、第一および第二のデータのそれぞれの重要度に応じて異なっている。
【００１６】
また、この発明に係るＩＣカードは、複数のデータを記憶するメモリと、複数のデータのうちの少なくともいずれか一つに対応して設けられており、対応するデータを送信可能とするスイッチと、スイッチに対応付けられた表示部とを備える。スイッチにより送信可能となるデータとスイッチに対応付けられた表示部における表示情報とが、関連付けられている。
【００１７】
好ましくは、スイッチは、圧電素子により構成されている。
【００１８】
さらに好ましくは、スイッチのオンまたはオフにより、ＩＣカードの交信距離を変化させる。
【００１９】
さらに好ましくは、発信する電波の減衰量を可変とする可変減衰器を含み、ＩＣカードの交信距離の変化は、スイッチのオンまたはオフに応じて、可変減衰器における電波の減衰量を変化させることにより行なわれる。
【００２０】
さらに好ましくは、ＩＣカードは、データが送信されたことを報知する第一の報知手段を備える。
【００２１】
さらに好ましい一実施形態として、ＩＣカードは、セミパッシブタイプである。
【００２２】
この発明の他の局面においては、データ送受信システムは、第一および第二のデータを記憶するメモリを含むＩＣカードと、第一のデータを読取る第一のリーダと、第二のデータを読取る第二のリーダとを備える。ＩＣカードは、第一および第二のデータのそれぞれに対応して設けられており、第一および第二のデータをそれぞれ送信可能とする第一および第二のスイッチと、第一および第二のスイッチにそれぞれ対応付けられた第一および第二の表示部とを備える。第一のデータと第一の表示部における表示情報とが、関連付けられている。第二のデータと第二の表示部における表示情報とが、関連付けられている。
【００２３】
この発明のさらに他の局面においては、データ送受信システムは、複数のデータを記憶するメモリを含むＩＣカードと、複数のデータを読取るリーダとを備える。ＩＣカードは、データのうちの少なくともいずれか一つに対応して設けられており、対応付けられたデータを送信可能とする複数のスイッチと、スイッチに対応付けられた表示部とを備える。スイッチにより送信可能となるデータとスイッチに付された表示部における表示情報とが、関連付けられている。
【００２４】
好ましくは、ＩＣカードは、リーダによりデータの読取りができれば、その旨を報知する第二の報知手段を含む。
【００２５】
さらに好ましくは、ＩＣカードは、リーダにより要求されるデータを報知する第三の報知手段を含む。
【発明の効果】
【００２６】
このような構成のＩＣカードおよびデータ送受信システムによれば、ＩＣカードに設けられたスイッチにより、データを送信可能とする。リーダは、送信可能となったデータを受信する。ここで、スイッチに対応付けられた表示部の表示情報とスイッチにより送信可能となるデータとが関連付けられているため、送信可能とするデータと他のデータとを取り間違えるおそれを大きく低減することができる。そうすると、不必要なデータを送信可能とすることがない。したがって、データの漏洩のおそれを低減することができ、セキュリティを向上することができる。
【図面の簡単な説明】
【００２７】
【図１】この発明の一実施形態に係るＩＣカードを含むデータ送受信システムの構成を示す図である。
【図２】この発明の一実施形態に係るＩＣカードの概略斜視図である。
【図３】この発明の一実施形態に係るデータ送受信システムを用いて、第一のリーダにより読取りを行う際の処理の流れを示すフローチャートである。
【図４】この発明の一実施形態に係るデータ送受信システムを用いて、第二のリーダにより読取りを行う際の処理の流れを示すフローチャートである。
【図５】この発明の他の実施形態に係るＩＣカードの構成を示す図である。
【図６】図５に示すＩＣカードを用いて、交信距離が長い状態でユーザ認証を行なう場合を示す図である。
【図７】図５に示すＩＣカードを用いて、交信距離が短い状態でユーザ認証を行なう場合を示す図である。
【図８】この発明のさらに他の実施形態に係るＩＣカードの概略斜視図である。
【発明を実施するための形態】
【００２８】
以下、この発明の実施の形態を、図面を参照して説明する。まず、この発明の一実施形態に係るＩＣカードを含むデータ送受信システムの構成について説明する。図１は、この発明の一実施形態に係るＩＣカードを含むデータ送受信システムの構成を示す図である。図２は、この発明の一実施形態に係るＩＣカードの概略斜視図である。
【００２９】
図１および図２を参照して、この発明に係るＩＣカード２１を含むデータ送受信システム１１は、データを記憶するメモリ２５を含むＩＣカード２１と、ＩＣカード２１に含まれるメモリ２５に記憶されたデータを読取るリーダ１２と、リーダ１２に接続され、リーダ１２により読取ったデータおよびその内部に格納されたデータベース１４に保持されているデータを基にユーザ認証等を行なうコンピュータ１３とを備える。なお、リーダ１２は、交信により、データをメモリ２５に記憶させることもできる。すなわち、リーダ１２により、ＩＣカード２１にデータを書込むライタ機能も備えている。なお、ＩＣカード２１の外形形状は、図２に示すように、矩形薄板状である。また、図２において、ＩＣカード２１に含まれるメモリ２５を、点線で示している。
【００３０】
リーダ１２は、所定の距離、すなわち、リーダ１２から発する電波の届く範囲内に位置するＩＣカード２１について、データの読取りが可能である。リーダ１２は、所定の範囲内において、信号を含んだ電波を発する。そして、電波の届く範囲内に位置するＩＣカード２１からの反射波を受信する。受信波に含まれる信号によりデータの読取りを行う。このようにして、リーダ１２とＩＣカード２１とが、交信を行なう。なお、ＩＣカード２１は、セミパッシブタイプである。すなわち、ＩＣカード２１は、電池（図示せず）を内蔵し、リーダ１２から送信される信号を受信した際に生み出されるエネルギー、および内蔵する電池のエネルギーで動作する。
【００３１】
次に、この発明の一実施形態に係るＩＣカード２１の具体的な構成について説明する。ＩＣカード２１は、リーダ１２との電波の交信を行なうアンテナ２２と、アンテナ２２による電波を受信する受信装置２３と、ＩＣカード２１全体の処理を行う処理装置２４と、認証に関するデータ等、種々のデータを記憶するメモリ２５と、後述するデータ認証の成否やデータを送信した旨を光の点灯や光の明滅等で報知する第一および第二の報知手段としてのＬＥＤ（Ｌｉｇｈｔ  Ｅｍｉｔｔｉｎｇ  Ｄｉｏｄｅ）２８とを含む。
【００３２】
メモリ２５は、複数のメモリバンクを有しており、メモリバンク毎にデータを記憶する。ここでは、メモリ２５は、第一のメモリバンク２６および第二のメモリバンク２７を含むものとする。第一および第二のメモリバンク２６、２７については、後述する第一および第二のスイッチがオフの状態においては、ロック状態となっている。すなわち、第一および第二のスイッチがオフの状態においては、第一および第二のメモリバンク２６、２７に記憶されたデータが送信不可能の状態であり、第一および第二のメモリバンク２６、２７に記憶されたデータの読取りができない。なお、第一のメモリバンク２６には、第一のデータとして、重要度の低い会社情報のデータが記憶されており、第二のメモリバンク２７には、第二のデータとして、重要度の高い氏名情報のデータが記憶されているものとする。
【００３３】
ＩＣカード２１は、第一および第二のデータのそれぞれに対応して設けられており、押下によりメモリ２５に記憶された第一および第二のデータをそれぞれ送信可能とする第一のスイッチ３１、および第二のスイッチ３２を含む。第一および第二のスイッチ３１、３２はそれぞれ、図２中の点線で示すように、矩形薄板状であって、同じく矩形薄板状のＩＣカード２１に埋め込まれるようにして設けられている。第一および第二のスイッチ３１、３２は、ＩＣカード２１内において、所定の間隔を開けて設けられている。第一および第二のスイッチ３１、３２は、圧電素子により構成されている。こうすることにより、第一および第二のスイッチ３１、３２を含むＩＣカード２１の薄板化を図ることができる。したがって、ＩＣカード２１の取扱いや持ち運びが容易となる。
【００３４】
第一および第二のスイッチ３１、３２のそれぞれの押下部３３、３４は、薄板状のＩＣカード２１の板厚方向に位置する表面２９側に設けられている。押下部３３の押下により、第一のスイッチ３１がオンの状態となる。押下部３４の押下により、第二のスイッチ３２がオンの状態となる。なお、図２において、理解の容易の観点から、ＩＣカード２１内部に設けられ、第一および第二のスイッチ３１、３２に接続される配線等については、図示を省略している。
【００３５】
ここで、ＩＣカード２１は、第一および第二のスイッチ３１、３２にそれぞれ対応付けられた第一および第二の表示部３５、３６を備える。具体的には、第一のスイッチ３１のうち、押下部３３の中央領域を覆うように、シール状の第一の表示部３５が貼付するようにして設けられている。同様に、第二のスイッチ３２のうち、押下部３４の中央領域を覆うように、シール状の第二の表示部３６が貼付するようにして設けられている。第一の表示部３５については、「会社情報」という表示情報が印字されている。すなわち、第一のデータとしての会社情報のデータと、第一の表示部３５における表示情報は、関連付けられている。第二の表示部３６については、「氏名情報」という表示情報が印字されている。すなわち、第二のデータとしての氏名情報のデータと、第二の表示部３６における表示情報は、関連付けられている。第一および第二の表示部３５、３６の表示情報は、第一および第二のスイッチ３１、３２の押下により送信可能となるデータの重要度に応じて異なっている。ここでは、具体的には、第二の表示部３６における氏名情報については、「重要」との文字が印字されている。
【００３６】
第一のスイッチ３１の押下部３３を押下すると、第一のスイッチ３１がオンの状態となり、メモリ２５内に含まれる第一のメモリバンク２６のロックが解除される。そうすると、第一のメモリバンク２６に記憶されたデータが送信可能となり、リーダ１２による第一のメモリバンク２６に記憶された第一のデータの読取りが可能となる。また、第二のスイッチ３２の押下部３４を押下すると、第二のスイッチ３２がオンの状態となり、メモリ２５内に含まれる第二のメモリバンク２７のロックが解除される。そうすると、第二のメモリバンク２７に記憶されたデータが送信可能となり、リーダ１２による第二のメモリバンク２７に記憶された第二のデータの読取りが可能となる。
【００３７】
ここで、第一および第二のスイッチ３１、３２の押下において、第一および第二のスイッチ３１、３２にそれぞれ対応付けられた表示部３５、３６の表示情報と第一および第二のスイッチ３１、３２の押下により送信可能となるデータとが関連付けられているため、送信可能とするデータと他のデータとを取り間違えるおそれを大きく低減することができる。そうすると、不必要なデータを送信可能とすることがない。したがって、データの漏洩のおそれを低減することができ、セキュリティを向上することができる。
【００３８】
次に、この発明に係るＩＣカード２１を含むデータ送受信システム１１において、ユーザを認証する方法について説明する。図３および図４は、この場合における処理の流れを示すフローチャートである。図３は、ビルの入口に設置された第一のリーダ１２により読取りを行う際の処理の流れを示すフローチャートである。なお、図４は、ビル内のオフィスの入口に設置された第二のリーダ１２により読取りを行う際の処理の流れを示すフローチャートである。
【００３９】
図１〜図３を参照して、ビルへの立ち入りの際には、会社情報の認証が行なわれる。ユーザがＩＣカード２１を所有して、ビル内に立ち入る。そうすると、まず、ビルにおける入退室管理を行う。この場合、ビルの入口に設けられている第一のリーダ１２と、ユーザの所有するＩＣカード２１との交信を行なう。具体的には、ビルの入口に設置された第一のリーダ１２において、ビルの入口を検知範囲とするよう電波を発信し、読取りを開始する（図３において、ステップＳ１１、以下、ステップを省略する）。この場合、第一のリーダ１２で電波を送信する際に、電波を受信したＩＣカード２１において、ビルの入退室の認証情報、ここでは、第一のデータとしての会社情報を送信するコマンドを送信信号に含ませる。ここで、ビルへの立ち入りに際し、ユーザは、ＩＣカード２１の第一のスイッチ３１を押下する。第一のスイッチ３１の押下により、会社情報を記憶したメモリ２５の第一のメモリバンク２６のロックが解除される。そうすると、第一のリーダ１２から送信された信号に応答し、ロックの解除がなされたメモリ２５の第一のメモリバンク２６に記憶された会社情報のデータの送信を行なう。第一のリーダ１２は、送信された会社情報のデータを受信する（Ｓ１２）。この場合、メモリ２５の第二のメモリバンク２７に記憶された第二のデータとしての氏名情報については、第二のメモリバンク２７のロックが解除されていないため、送信されることはない。ここで、第一のスイッチ３１に対応付けられた第一の表示部３５の表示情報と第一のスイッチ３１の押下により送信可能となる第一のデータとが関連付けられているため、送信可能とするデータと他のデータとを取り間違えるおそれはない。すなわち、第一のデータと第二のデータとを取り間違えるおそれはない。その後、第一のリーダ１２により受信した会社情報のデータと、第一のリーダ１２に接続されている第一のコンピュータ１３に保持されたデータベース１４に蓄積されたデータとを照合する。このようにして、データの送受信を行い、ユーザの認証を行なう（Ｓ１３）。その後、データの読取りができ、認証が成功すれば、認証の成功を、ＬＥＤ２８の点灯により報知する（Ｓ１４）。一方、データを受信しない場合（Ｓ１２において、ＮＯ）や、認証に失敗した場合（Ｓ１３において、ＮＯ）には、認証のエラーをＬＥＤ２８の点滅等により報知する（Ｓ１５）。
【００４０】
次に、ビル内のオフィスでの入退室の認証について説明する。ビル内のオフィスへの入室の際には、第二のデータとしての氏名情報の認証が行なわれる。ユーザがＩＣカード２１を所有して、ビル内のオフィスに入室する。そうすると、オフィスの入口における入退室管理を行う。この場合、オフィスの入口に設けられている第二のリーダ１２と、ユーザの所有するＩＣカード２１との交信を行なう。
【００４１】
具体的には、図４を参照して、オフィスの入口に設置された第二のリーダ１２において、オフィスの入口を検知範囲とするよう電波を発信し、読取りを開始する（Ｓ２１）。この場合、第二のリーダ１２で電波を送信する際に、電波を受信したＩＣカード２１において、オフィスの入退室の認証情報、ここでは第二のデータとしての氏名情報を送信するコマンドを送信信号に含ませる。ここで、オフィスへの入室に際し、ユーザは、ＩＣカード２１の第二のスイッチ３２を押下する。第二のスイッチ３２の押下により、氏名情報を記憶したメモリ２５の第二のメモリバンク２７のロックが解除される。そうすると、第二のリーダ１２から送信された信号に応答し、ロックの解除がなされたメモリ２５の第二のメモリバンク２７に記憶された第二のデータとしての氏名情報のデータの送信を行なう。第二のリーダ１２は、送信された氏名情報のデータを受信する（Ｓ２２）。ここで、第二のスイッチ３２に対応付けられた第二の表示部３６の表示情報と第二のスイッチ３２の押下により送信可能となる第二のデータとが関連付けられているため、送信可能とするデータと他のデータとを取り間違えるおそれはない。すなわち、第一のデータと第二のデータとを取り間違えるおそれはない。その後、第二のリーダ１２により受信した氏名情報のデータと、第二のリーダ１２に接続されている第二のコンピュータ１３に格納されたデータベース１４に保持されたデータとを照合する。このようにして、データの送受信を行い、ユーザの認証を行なう（Ｓ２３）。その後、データの読取りができ、認証が成功すれば、認証の成功を、ＬＥＤ２８の点灯により報知する（Ｓ２４）。一方、データを受信しない場合（Ｓ２２において、ＮＯ）や、認証に失敗した場合（Ｓ２３において、ＮＯ）、認証のエラーをＬＥＤ２８の点滅等により報知する（Ｓ２５）。
【００４２】
このように、第一および第二のスイッチ３１、３２の押下において、第一および第二のスイッチ３１、３２にそれぞれ対応付けられた表示部３５、３６の表示情報と第一および第二のスイッチ３１、３２の押下により送信可能となるデータとが関連付けられているため、送信可能とするデータと他のデータとを取り間違えるおそれを大きく低減することができる。そうすると、ユーザ認証に必要なデータを確実にリーダ１２に読取らせることができ、不必要なデータを送信可能とすることがない。具体的には、上記した場合では、ビルへの立ち入りに際し、第二のメモリバンク２７に記憶されたオフィスへの入室時の認証に要する氏名情報のデータが漏洩することはない。したがって、データの漏洩のおそれを低減することができ、セキュリティを向上することができる。
【００４３】
この場合、メモリ２５に含まれる第一および第二のメモリバンク２６、２７毎にロックされているため、より確実にデータの漏洩を防止することができる。
【００４４】
なお、上記の実施の形態においては、複数のスイッチを有することとしたが、これに限らず、一つのスイッチを備える構成としてもよい。この場合、例えば、スイッチを全く押下しない状態において、ビルの入退室の認証を行なうデータの送受信を行なうこととし、スイッチの押下により、オフィスの入退室の認証を行なうデータの送受信が可能となるよう構成してもよい。
【００４５】
すなわち、この発明に係るＩＣカードは、複数のデータを記憶するメモリと、複数のデータのうちの少なくともいずれか一つに対応して設けられており、対応するデータを送信可能とするスイッチと、スイッチに対応付けられた表示部とを備え、スイッチにより送信可能となるデータとスイッチに対応付けられた表示部における表示情報とが、関連付けられている。
【００４６】
また、この発明に係るデータ送受信システムは、複数のデータを記憶するメモリを含むＩＣカードと、複数のデータを読取るリーダとを備えるデータ送受信システムであって、ＩＣカードは、データのうちの少なくともいずれか一つに対応して設けられており、対応付けられたデータを送信可能とする複数のスイッチと、スイッチに対応付けられた表示部とを備え、スイッチにより送信可能となるデータとスイッチに付された表示部における表示情報とが、関連付けられている。
【００４７】
このような構成のＩＣカードおよびデータ送受信システムにおいても、不必要なデータを送信可能とすることがないため、データの漏洩のおそれを低減することができ、セキュリティを向上することができる。
【００４８】
なお、ＩＣカードは、スイッチのオンまたはオフにより、交信距離を変化させるよう構成してもよい。図５は、この場合におけるＩＣカードを含むデータ送受信システムの構成を示す図である。図５を参照して、ＩＣカード２１は、上記した図１に示す構成に加え、発信する電波の減衰量を可変とする可変減衰器３７を含む。可変減衰器３７は、処理装置２４により制御可能であり、ＩＣカード２１の交信距離の変化は、スイッチ３１、３２のオンまたはオフに応じて、可変減衰器３７における電波の減衰量を変化させることにより行なわれる。すなわち、可変減衰器３７における電波の減衰量を変化させて、アンテナ２２による交信距離を長くしたり、短くしたりすることができる。ここでは、第二のスイッチ３２の押下によりオン状態として、第二のメモリバンク２７のロックを解除すると共に、交信距離を短くすることとしている。一方、第一のスイッチ３１の押下によるオン状態については、第一のメモリバンク２６のロックを解除するのみで、交信距離を変化させない。すなわち、第一のスイッチ３１を押下しても、交信距離は長いままである。なお、その他のＩＣカード２１の構成については、図１に示すＩＣカード２１と同じであるため、その説明を省略する。
【００４９】
図６および図７に、図５に示すＩＣカードを含むデータ送受信システムにおいて、データを交信する場合を示す。図６は、交信距離が長い場合を示し、図７は、交信距離が短い場合を示す。図６および図７中、交信を示す矢印の長さで、交信距離を示している。また、図６および図７において、ＩＣカード２１の図示を簡略化しており、ハッチングにおいて、押下されているスイッチを示している。
【００５０】
図５〜図７を参照して、例えば、上記した図３に示す場合のように、ビルへの立ち入りの際におけるユーザ認証においては、図６に示すように交信距離を長くして、データの送受信を行なう。この場合、重要度の低い会社情報の送受信であるため、セキュリティ上特に問題はない。一方、ビル内のオフィスへの入室の際のユーザ認証については、図７に示すように交信距離を短くして、データの送受信を行なう。この場合、重要度の高い氏名情報の送受信であるため、交信距離を短くして、データが盗み出されるおそれをさらに大きく低減することができる。したがって、さらにセキュリティを向上させることができる。
【００５１】
なお、上記の実施の形態においては、可変減衰器による電波の減衰量を変更することにより交信距離を変化させることとしたが、これに限らず、他の方法により、交信距離を変化させることとしてもよい。具体的には、例えば、上記した図１に示す構成を有するＩＣカードにおいて、リーダからの受信信号レベルに所定の閾値を設け、この所定の閾値を変化させるようにする。そして、所定の閾値以下の信号については、無効とする。このようにして、交信距離を変化させるよう構成してもよい。
【００５２】
また、上記の実施の形態においては、薄板状のＩＣカードの板厚方向に位置する面に押下部を設けることとしたが、これに限らず、板厚方向に直交する領域に、スイッチの押下部を設けることとしてもよい。図８は、この場合におけるＩＣカードを示す概略斜視図であり、図２に相当する図である。
【００５３】
図８を参照して、薄板状のＩＣカード４１は、第一および第二のデータを記憶するメモリ４２と、第一および第二のデータのそれぞれに対応して設けられており、押下により第一および第二のデータを送信可能とする第一および第二のスイッチ４３、４４と、第一および第二のスイッチ４３、４４にそれぞれ対応付けられた第一および第二の表示部４５、４６とを備える。ここで、第一および第二のスイッチ４３、４４の押下部４７、４８は、ＩＣカード４１の板厚方向に直交する位置に配置される側面部４９に所定の間隔を開けて設けられている。ここでは、側面部４９からその内部に凹むようにして設けられた凹部５０、５１の略中央に位置するように、第一および第二のスイッチ４３、４４の押下部４７、４８が設けられている。また、第一および第二の表示部４５、４６は、対応付けとして、板厚方向に位置する面５２において、第一および第二のスイッチ４３、４４のそれぞれ近傍に位置する領域に設けられている。このような構成としてもよい。このような構成においては、凹部５０、５１が設けられていることにより、誤った押下部４７、４８の押下を防止できる。また、側面部４９に凹部５０、５１を設けず、側面部４９からそのままＩＣカード４１の外方側に突出するように、第一および第二のスイッチ４３、４４の押下部４７、４８を設けるよう構成してもよい。
【００５４】
また、上記の実施の形態においては、薄板状のＩＣカードの板厚方向に位置する一方の面側に２つの押下部を設けることとしたが、これに限らず、薄板状のＩＣカードの板厚方向に位置する両方の面、すなわち、表面と裏面にそれぞれ押下部を設けることとしてもよい。
【００５５】
なお、上記の実施の形態においては、第一および第二のスイッチにより、会社情報および氏名情報という２つのデータの送受信を行なう場合について説明したが、これに限らず、３つ以上のデータの送受信を行なう場合についても適用される。
【００５６】
また、上記の実施の形態において、報知手段をＬＥＤとして光により視覚を通じて認証成功の報知等を行なうこととしたが、これに限らず、例えば、ブザー音等、音声により聴覚を通じて認証成功の報知等を行なうこととしてもよい。さらに、光の明滅パターンや、光の色、音のトーン等を変更させて、認証成功や認証失敗を報知することにしてもよい。さらに、認証に成功した場合には、ＬＥＤを点灯させていき、複数のオフィスに入って認証が成功していく度にＬＥＤを点灯させていく構成としてもよい。
【００５７】
なお、上記の実施の形態において、データ認証に順序を付与し、例えば、第一のデータの送受信における認証が成功しなければ、第二のデータの送信を行なうことを禁止し、第二のメモリバンクのロックを解除しないよう構成することとしてもよい。この場合、上記した図６および図７に示すデータ送受信システムにおいて、第一のコンピュータと第二のコンピュータとの間で、データの授受を行なうよう構成し、このデータを利用するよう構成してもよい。
【００５８】
また、上記の実施の形態において、それぞれのスイッチに対応付けてＬＥＤ等の報知手段を設け、要求されている送信データを送信可能とするスイッチに対応付けられているＬＥＤを点灯させるようにしてもよい。すなわち、上記した図１等に示す構成において、第一のスイッチ３１に対応付けるように第一のスイッチ３１の近傍に第一のＬＥＤを設け、第二のスイッチ３２に対応付けるように第二のスイッチ３２の近傍に第二のＬＥＤを設ける。そして、リーダ１２から会社情報に関するデータの送信を要求するコマンドを受信した場合には、第一のＬＥＤを点灯させる。一方、リーダ１２から氏名情報に関するデータの送信を要求するコマンドを受信した場合には、第二のＬＥＤを点灯させる。こうすることにより、リーダ１２により要求されているデータを容易に把握することができる。すなわち、この発明に係るデータ送受信システムにおいて、ＩＣカードは、リーダにより要求されるデータを報知する第三の報知手段を含む。この場合、例えば、異なる音声により第三の報知手段を作動させるようにしてもよい。具体的には、例えば、第一のリーダからコマンドを受信して、「会社情報送信スイッチを押してください」との音声が発せられたり、第二のリーダからコマンドを受信して、「氏名情報送信スイッチを押してください」との音声が発せられる構成としてもよい。
【００５９】
なお、上記の実施の形態においては、スイッチは、圧電素子により構成されていることとしたが、これに限らず、例えば、押しボタン方式や、トグルスイッチの構成を採用してもよい。また、スイッチは、タッチパネル形式として、タッチパネルによるタッチにより、オンまたはオフ状態としてもよい。
【００６０】
なお、上記の実施の形態においては、ＩＣカードの外形形状は、矩形薄板状としたが、このような外形形状に限らず、例えば、円板状のものや五角形状等の多角形状であってもよい。
【００６１】
また、上記の実施の形態において、ＩＣカードは、セミパッシブタイプとしたが、これに限らず、パッシブタイプや、アクティブタイプを用いることとしてもよい。
【００６２】
なお、上記の実施の形態においては、データ送受信システムは、ユーザ認証に用いることとしたが、これに限らず、単なるデータの送受信に用いられる場合についても適用される。
【００６３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００６４】
この発明に係るＩＣカードおよびデータ送受信システムは、セキュリティの向上が要求される場合に、有効に利用される。
【符号の説明】
【００６５】
１１  データ送受信システム、１２  リーダ、１３  コンピュータ、１４  データベース、２１，４１  ＩＣカード、２２  アンテナ、２３  受信装置、２４  処理装置、２５  メモリ、２６，２７  メモリバンク、２８  ＬＥＤ、２９，５２  面、３１，３２，４３，４４  スイッチ、３３，３４，４７，４８  押下部、３５，３６，４５，４６  表示部、３７  可変減衰器、４９  側面部、５０，５１  凹部。
【図１】
2010211689.tif 000003
【図２】
2010211689.tif 000004
【図３】
2010211689.tif 000005
【図４】
2010211689.tif 000006
【図５】
2010211689.tif 000007
【図６】
2010211689.tif 000008
【図７】
2010211689.tif 000009
【図８】
2010211689.tif 000010